(57)【要約】【課題】  加熱時に安定して蒸気抜き部が上部に位置し、かつ、開封時に蒸気抜き部よりも下側を通る開封部を形成し、内容物を取り出す時に蒸気抜き部が邪魔にならないフィルム製容器を得る。【解決手段】  少なくとも前面フィルム（２）と、背面フィルム（３）と、底面に折り込まれる底面フィルム（４）と、からなり、前面フィルムと背面フィルムとが、少なくとも左側面と右側面との周縁に周縁シール部を有し、折り込んだ底面フィルムが前面フィルムと背面フィルムの底面側に融着した袋状の自立性フィルム容器（１）において、底面を上面に対し傾斜させ、かつ、シール外側の未シール部が容器内部に延設する蒸気抜き部（５）を周縁シール部の傾斜側上方に設け、底面に平行に、かつ、蒸気抜き部よりも下方に開口部を設けたことを特徴とする自立性フィルム容器。【選択図】図１
2017071423.tif 000002
【特許請求の範囲】
【請求項１】
少なくとも前面フィルムと、背面フィルムと、底面に折り込まれる底面フィルムとからなり、前面フィルムと背面フィルムとが少なくとも左側面と右側面との周縁に周縁シール部を有し、折り込んだ底面フィルムが前面フィルムと背面フィルムの底面側に融着した袋状の自立性フィルム容器において、
底面を上面に対し傾斜させ、かつ、シール外側の未シール部が容器内部に延設する蒸気抜き部を周縁シール部の傾斜側上方に設け、底面に平行に、かつ、蒸気抜き部よりも下方に開口部を設けたことを特徴とする自立性フィルム容器。
【請求項２】
底面フィルムの折り込みが、上面に対し平行とすることを特徴とする請求項１に記載の自立性フィルム容器。
【請求項３】
開口部の左又は右あるいは左右の側面に引き裂き開始点を有することを特徴とする請求項１又は２に記載の自立性フィルム容器。
【請求項４】
蒸気抜き部が底面の傾斜側側面上方に設けられたことを特徴とする請求項１〜３のいずれかに記載の自立性フィルム容器。
【請求項５】
蒸気抜き部が上面で、底面が傾斜した側面寄りに設けられたことを特徴とする請求項１〜３のいずれかに記載の自立性フィルム容器。
【発明の詳細な説明】
【技術分野】
【０００１】
本発明は、フィルムで構成された容器であって、底面に折り込み部を有し、上部を開口し、内容物を取り出しやすくしたフィルム製容器に関する。
【背景技術】
【０００２】
ブローボトルのような自立性があり、樹脂使用量が少ないフィルムで構成される自立性容器は、中間フィルムを底側、あるいは側面などに折り込んで設けることにより開発され、簡単な機構を組み込むことによって、製袋機械で生産が可能である。
特に、下側に折り込み部を設けた自立性容器は、自立性も高く、製造し易い上に、内容物を収納前ではコンパクトに畳められることから、ボトル代替用包装体として、積極的に利用されている。
これらは、シャンプーやリンス、液体洗剤などのトイレタリーの詰め替え容器としても用いられると共に、醤油など一次容器としても使用されるようになっている。
【０００３】
ところで、近年、フィルム製容器を、レトルトパウチとして使用し、湯煎、あるいは電子レンジなどにより加熱処理する利用が提案されて来ている。
このようなフィルム製容器は、食品が容器内部に収納した状態で加熱され、加熱後、他の容器に移す方法が採られていた。
このフィルム製容器をレトルトパウチに使用した場合、加熱されたフィルム製容器は、非常に高温、高圧になって、内部から水蒸気などの気体が発生する。
この水蒸気などの気体は、高温になると、容器を膨らませ、そのまま膨張させると、フィルム製容器が破裂し、高温の内容物が飛び散る恐れがある。
その為、水蒸気などが高圧になった時点で、蒸気抜きによって、容器外部に発生した気体を逃がし、気圧を下げる仕組みが採られる。
【０００４】
このようなレトルトでフィルム製容器内部が高圧・高温になる問題に対する対応として、例えば、特許文献１では、
袋体を形成する両サイドシール線の一部が内側に曲折しＶ字状をなして該Ｖ字状シール部の谷部に三角形状の未シール面を形成し、該未シール面がサイドシール線のシール面より袋体の内側に突出形成したことを特徴とする電子レンジ用自立性袋を提案している。
【０００５】
この電子レンジ用自立性袋は、Ｖ字状シール部からなる蒸気抜きが、蒸気だけを抜いて気圧を下げるように、常に内容物の界面よりも蒸気抜きの位置を高い位置に設ける必要がある。
そして、両サイドシール線に内側に飛び出して形成されるＶ字上シールを形成させるため、過熱後、開封するには、その下側を開封しなければならないので、収納する領域が狭くなってしまうなどの問題もあった。
【先行技術文献】
【特許文献】
【０００６】
【特許文献１】実開平４−１００７９号公報
【発明の概要】
【発明が解決しようとする課題】
【０００７】
そこで、加熱時に安定して蒸気抜き部が上部に位置し、かつ、開封時に蒸気抜き部よりも下側を通る開封部を形成し、内容物を取り出す時に蒸気抜き部が邪魔にならないフィルム製容器を得ることが本発明の課題である。
【課題を解決するための手段】
【０００８】
本発明は、少なくとも前面フィルムと、背面フィルムと、底面に折り込まれる底面フィルムと、からなり、
前面フィルムと背面フィルムとが、少なくとも左側面と右側面との周縁に周縁シール部を有し、
折り込んだ底面フィルムが前面フィルムと背面フィルムの底面側に融着した袋状の自立性フィルム容器において、
底面を上面に対し傾斜させ、
かつ、シール外側の未シール部が容器内部に延設する蒸気抜き部を周縁シール部の傾斜側上方に設け、
底面に平行に、かつ、蒸気抜き部よりも下方に開口部を設けたことを特徴とする自立性フィルム容器である。
【発明の効果】
【０００９】
本発明の自立性フィルム容器は、電子レンジなどで加熱する時、蒸気抜き部が安定して内容物界面より上方に位置するようにすると共に、内容物を取り出す時に蒸気抜き部が邪魔をせずに開封できる。
また、内容物を加熱し、開口した後、そのまま別の容器に移さなくても、内容物を食べ易い形状となり、非常に扱いしやすい自立性フィルム容器である。
【図面の簡単な説明】
【００１０】
【図１】本発明の自立性フィルム容器の第１実施例で、その充填時の外観を示す斜視図と、自立性フィルム容器の正面図である。
【図２】本発明の自立性フィルム容器の第２実施例で、その充填時の外観を示す斜視図と、自立性フィルム容器の正面図である。
【図３】本発明の自立性フィルム容器の第３実施例で、その充填時の外観を示す斜視図と、自立性フィルム容器の正面図である。
【図４】本発明の自立性フィルム容器の第１実施例で、その電子レンジで加熱中の状態を示す断面図である。
【図５】本発明の自立性フィルム容器の第１実施例で、その電子レンジで加熱後、開口部を開封し、内容物を取り出せる状態を示す斜視図である。
【発明を実施するための形態】
【００１１】
以下、本発明の自立性フィルム容器の実施形態例について、図を用いて詳細に説明する。
図１は本発明の自立性フィルム容器１の第１実施例で、図１−１が内容物を充填した容器の外観を示す斜視図、図１−２が自立性フィルム容器１の正面図である。
【００１２】
この第１実施例では、前面フィルム２と背面フィルム３は、上面７で折り畳まれた一枚のフィルムから構成されている。
前面フィルム２と背面フィルム３は、左側面と右側面との周縁が左側面シール部１１，右側面シール部１２となって、周縁シール部を設けている。
底面フィルム４は、融着面を外側にして折り込んで、前面フィルム２と背面フィルム３との間に挟むように挿入され、それらの底面側に融着し、それぞれ、底前面融着部４１、底背面融着部４２で融着している。このようにして折り込んだ底面フィルム４は、折り目が広げられ、底面４０を形成することができる。
この底面４０は、上面７に対し、図では、右側に傾斜した状態で設置されており、傾斜した右側周縁の右側面シール部１２上方に、蒸気抜き部５が形成されている。
蒸気抜き部５は、シール外側の未シール部５１が、その周囲に対して、容器内部に延設し
ている。この未シール部５１は、未シールでそのまま前面フィルム２や背面フィルム３を残してもかまわないが、図のように、形状に合わせて切断してあってもかまわない。
さらに、左開封開始点６１、右開封開始点６２を結ぶ開口部６は、底面４０に対して平行に、かつ、蒸気抜き部５よりも下方に設けている。
【００１３】
この第１実施例では、底面には折り込まれた底面フィルム４において、底面フィルムの折り込み線４３が、上面に対し、平行に設けられ、底面４０は、左側が細長い形状になる。
そして、容器を立てた状態では、左に傾いた状態になる。
【００１４】
左開封開始点６１、右開封開始点６２は、この実施例では、切り欠きで記載しているが、切り込みや、半切れ、ミシン目、などの開封開始点でも良い。
また、左開封開始点６１、右開封開始点６２との間の開口部６は、ハーフカットやハーフカットのミシン目、レーザー加工による脆弱化した開口部６にしても良い。
【００１５】
底面シールと側面シールとが交差した下側近傍に、底面フィルム４を一部開孔、あるいは切り欠いて、前面フィルム２と背面フィルム３とが融着する底側シール部を設けている。
必ずしも必須ではないが、底側シール部１３を設けると、底面がしっかりして、安定して容器を立てることができる。
【００１６】
図２は本発明の自立性フィルム容器の第２実施例で、図２−１が内容物を充填した容器の外観を示す斜視図、図２−２が自立性フィルム容器の正面図である。
この第２実施例の第１実施例と違う点は、前面フィルム２と背面フィルム３が、一枚のフィルムではない点と、底面形状である。
底面には折り込まれた底面フィルム４において、底面フィルムの折り込み線４３が、上面に対し傾斜し、かつ、底シールと平行に設けられていて、底面４０は、左右対称な形状である。しかし、底面自体が傾斜しているので、容器を立てた状態では、左に傾いた状態になる。
生産性では第１実施例に比べ、ロスは出るが、底面がしっかりした面積を取れるので、自立性が高い。
【００１７】
図３は本発明の自立性フィルム容器の第３実施例で、図３−１が内容物を充填した容器の外観を示す斜視図、図３−２が自立性フィルム容器の正面図である。
この第３実施例の第１実施例と違う点は、前面フィルム２と背面フィルム３が、一枚のフィルムではない点と、蒸気抜き部５を上面７に設けたことである。
蒸気抜き部５は、上面ではあるが、底面４０が傾斜している傾斜側に設けている。その為、容器を立てた時に、蒸気抜き部５が充分に上側に配置され、液体内容物が飛び散ることも無く、蒸気を抜くことができる。
【００１８】
図４は本発明の自立性フィルム容器の第１実施例で、内容物を加熱中の断面図である。加熱された内容物８から水蒸気８１が発生し、自立性フィルム容器は内部が高圧になって、大きく膨らむ。
自立性フィルム容器の内部圧力が上昇し、容器が膨らんで、その内側に飛び出している融着部を剥離する力が集中するので、蒸気抜き部５の内側が剥離し出す。
蒸気抜き部５の剥離し始めた剥離部５２先端が、容器内部に延設されたシール外側の未シール部５１に到達すると、水蒸気８１が外部に漏れ、一定の圧力で留まり、その圧力が保持される。
蒸気抜き部５が開口部よりも上方にあるので、内容物の液体が噴出して飛び散ることは無い。
【００１９】
図５は本発明の自立性フィルム容器の第１実施例で、加熱した自立性フィルム容器の開口部６を開封し、加熱した内容物を取り出せる状態を示す斜視図で、開口部６から切り裂いた上側が図５−１で、内容物がある下側が図５−２である。
開封する際、開口部６の左右に設けた左開封開始点６１あるいは右開封開始点６２から、引き裂いて開口部６を開封する。
容器は傾斜しているが、底面が広がっているので、安定して自立できる。開口部６を切り裂く時、開封している蒸気抜き部５が開口部６よりも上方にあるので、内容物が漏れることも無い。
開封した時に、周縁シール部で面積の大きい傾斜側端部近傍、あるいは底側シール部１３近傍を手で挟んで持つと、持ちやすい。
【００２０】
本発明の自立性フィルム容器に用いる前面フィルム２や背面フィルム３には、外側から延伸ポリエチレンテレフタレート／ポリエチレン／バリアフィルム／シーラントなどの構成が考えられる。
例えば、２軸延伸ポリエチレンテレフタレート／ポリエチレン、
２軸延伸ポリアミド／ポリエチレン／無機酸化物蒸着ポリエチレンテレフタレート／ポリエチレン、
２軸延伸ポリエチレンテレフタレート／ポリエチレン／エチレン酢酸ビニル共重合体鹸化物／ポリエチレン、
２軸延伸ポリエチレンテレフタレート／ポリエチレン／接着樹脂／ポリアミド／接着樹脂／ポリエチレン、
２軸延伸ポリプロピレン／ポリアミド／接着樹脂／／ポリエチレン、
などの一般的な構成が考えられる。
バリアフィルムとして、酸化珪素や酸化アルミニウムなどの酸化金属を蒸着した延伸ポリエチレンテレフタレートや延伸ポリアミドなどのフィルムや、エチレン酢酸ビニル共重合体鹸化物などを使用するが、アルミニウムなどの純金属を蒸着したものや金属箔などは、電子レンジで高温に発熱してしまうので使用しない。
ポリアミドフィルムを使用するのは、破断しにくいと共に、耐衝撃性も高く、かつ、柔軟性が高い為に使用する。
シーラントには、融着強度や耐熱性が高い直鎖状低密度ポリエチレンが良好である。
これらのフィルムは、通常のドライラミネーション機、エクストルーダーラミネート機などで貼り合わせるなどして製造することができる。
【００２１】
底面フィルムに使用するフィルムは、前面フィルムや背面フィルムの構成であってもかまわない。ただ、折り畳んで使用するため、前面フィルム２や背面フィルム３よりも軟らかくする為、表層の２軸延伸フィルムなどを薄くすることが好ましい。
特に、表面層同士が融着しないよう、表層には２軸延伸フィルムを使用する。
【００２２】
本発明の自立性フィルム容器は、以上のようなもので、湯煎や電子レンジなどで加熱して使用する容器に使用される。このフィルム製容器は開口した状態においても、自立性が高く、かつ、蒸気抜き部を確実に高い位置に保持できるので、容器の内容物が飛び散る問題も無い。又、開封後も自立するので、そのままの状態で移し変えることも無く、内容物を食すことが可能であり、非常に扱いやすいなど、本発明のメリットは大きい。
【符号の説明】
【００２３】
１・・・・・・・・・自立性フィルム容器
１１・・・・・・・・左側面シール部
１２・・・・・・・・右側面シール部
１３・・・・・・・・底側シール部
２・・・・・・・・・前面フィルム
３・・・・・・・・・背面フィルム
４・・・・・・・・・底面フィルム
４０・・・・・・・・底面
４１・・・・・・・・底前面融着部
４２・・・・・・・・底背面融着部
４３・・・・・・・・折り込み線
５・・・・・・・・・蒸気抜き部
５１・・・・・・・・未シール部
５２・・・・・・・・剥離部
６・・・・・・・・・開口部
６１・・・・・・・・左開封開始点
６２・・・・・・・・右開封開始点
７・・・・・・・・・上面
８・・・・・・・・・内容物
８１・・・・・・・・水蒸気
【図１】
2017071423.tif 000003
【図２】
2017071423.tif 000004
【図３】
2017071423.tif 000005
【図４】
2017071423.tif 000006
【図５】
2017071423.tif 000007